(57)【特許請求の範囲】
【請求項１】
複数の相手方コネクタとそれぞれ嵌合するための複数のコネクタ嵌合部が形成されたアウターハウジングと、
前記コネクタ嵌合部内に突出するように前記アウターハウジングに配置され、且つ前記相手方コネクタが前記コネクタ嵌合部に嵌合した際に該相手方コネクタの相手方端子に接触して電気的に接続する端子と、
前記端子によって貫通されるように前記アウターハウジング内に配置されたフェライト・プレートと、
一面が開口し、該開口を通して前記フェライト・プレートが収容されるプレート収容室を有するインナーハウジングと、
を備え、
前記アウターハウジングには、前記フェライト・プレートが前記プレート収容室に収容された前記インナーハウジングを嵌合するためのインナーハウジング嵌合部が形成され、
前記インナーハウジングは、該インナーハウジングが前記インナーハウジング嵌合部に嵌合した際に前記コネクタ嵌合部内に突出するように、且つ前記プレート収容室を挿通するように、前記端子を保持するとともに、前記プレート収容室を画成する内側面が前記端子によって貫通された前記フェライト・プレートをその側面から押圧することによって前記フェライト・プレートのインピーダンス特性が所望の数値に調整されている、
ことを特徴とする多重通信用ジョイントコネクタ。
【請求項２】
前記インナーハウジングは、前記プレート収容室を画成する内側面が前記端子によって貫通された前記フェライト・プレートの一部をその側面から押圧する、
ことを特徴とする請求項１に記載の多重通信用ジョイントコネクタ。
【請求項３】
前記フェライト・プレートは、前記コネクタ嵌合部に対応して複数個に分割され、
前記インナーハウジングは、前記プレート収容室を画成する内側面が前記端子によって貫通された前記フェライト・プレートそれぞれをその側面から押圧することによって前記フェライト・プレートそれぞれのインピーダンス特性が所望の数値に調整されている、
ことを特徴とする請求項２に記載の多重通信用ジョイントコネクタ。
【請求項４】
前記インナーハウジングには、前記プレート収容室を画成する内側面の、前記フェライト・プレートそれぞれの側面に臨む位置にバネ部材が複数個設けられ、
前記バネ部材はそれぞれ、前記端子によって貫通された前記フェライト・プレートをその側面から押圧する、
ことを特徴とする請求項３に記載の多重通信用ジョイントコネクタ。
【発明の詳細な説明】
【技術分野】
【０００１】
本発明は、複数の相手方コネクタと嵌合可能な多重通信用ジョイントコネクタに関する。
【背景技術】
【０００２】
車両などにおいては、ＣＡＮ（Control Area Network）通信によって複数の電装品を制御するため、多重通信用ジョイントコネクタを用いた接続が行われている。このような信号伝達用のコネクタには、ノイズの輻射や信号伝送に及ぼす悪影響を軽減するため、信号に重畳されるノイズを除去する機能が要求される。従来、ノイズ除去機能を有するコネクタとしては、フェライト磁心とチップコンデンサによって構成されるローパスフィルタ回路をコネクタに内蔵させたローパスフィルタ内蔵コネクタが開示されている（例えば、特許文献１参照。）。
【０００３】
また、アウターハウジングと、金属板によって一体成形されたジョイント回路としての連鎖バスバーと、第１および第２の抵抗およびコンデンサを有する終端抵抗回路と、から構成された多重通信用ジョイントコネクタも知られている（例えば、特許文献２参照。）。
【先行技術文献】
【特許文献】
【０００４】
【特許文献１】特開平７−７８６５８号公報
【特許文献２】特開２００３−１２３９１８号公報
【特許文献３】特開２０１０−３３９６１号公報
【発明の概要】
【発明が解決しようとする課題】
【０００５】
図１２に示す従来の多重通信用ジョイントコネクタ１０は、複数のコネクタ嵌合部２を有する合成樹脂製のアウターハウジング１と、複数の貫通孔４が設けられて長方形板状に形成されたフェライト・プレート３と、バスバー６とピン状の端子７とが金属板によって一体成形された接続部５と、を備える。ローパスフィルタとして機能するフェライト・プレート３は、アウターハウジング１と一体にインサート成形されており、このフェライト・プレート３の貫通孔４に接続部５の端子７が挿通されてコネクタ嵌合部２に配置されている。この構成により、上下左右に隣り合う端子７の間にはフェライト・プレート３の一部が位置することになる。
【０００６】
しかし、フェライト・プレート３をアウターハウジング１にインサート成形すると、成形後の合成樹脂の収縮によって板状のフェライト・プレート３に曲げ応力が作用し、図１３に示すように、反りなどの変形が生じる場合がある。このように変形するほどの応力がフェライト・プレート３に作用すると、ビラリ効果（Villari effect）として一般に知られている逆磁歪現象によって、フェライト・プレート３の透磁率が低下する。このため、フェライト・プレート３は、ローパスフィルタとして十分なインピーダンス特性が得られなくなって、伝送される波形ひずみの改善が不十分となる問題があった。また、このビラリ効果を考慮して十分な特性が得られるようにフェライト・プレート３を大きくすることは、多重通信用ジョイントコネクタ１０のコストアップ要因となり、好ましくない。
【０００７】
そこで、フェライト・プレートを複数個に分割した状態でアウターハウジングに配置することにより、アウターハウジングの樹脂が収縮しても、各フェライト・プレートに作用する応力は小さく、フェライト・プレートの変形を大幅に抑制することも検討されている（図１４に示す、フェライト・プレートが分割された多重通信用ジョイントコネクタの分解斜視図を参照。）。
【０００８】
ところで、フェライト・プレートに求められるインピーダンス特性は、そのフェライト・プレートがローパスフィルタ作用の対象とする配線がいくつの多重通信用ジョイントコネクタを経由するか（以下、ある電子機器間を接続する配線が多重通信用ジョイントコネクタを経由する個数を「多重通信用ジョイントコネクタ総数」と称する。）、及び、そのフェライト・プレートを収容する多重通信用ジョイントコネクタが何本の電線が接続可能であるか（以下、ある多重通信用ジョイントコネクタに接続可能な電線の本数を「分岐数」と称する。）、によって異なる。この点を図１５に示す、多重通信用ジョイントコネクタを経由して電子機器間を接続する配線の模式図を参照して説明する。図１５（ａ）は、多重通信用ジョイントコネクタ総数が３、分岐数が８である配線の模式図であり、図１５（ｂ）は、多重通信用ジョイントコネクタ総数が２、分岐数が１１である配線の模式図である。
【０００９】
一般的な車両通信システムでは、該車両通信システムによって駆動されるシステム（エアコン、ＡＢＳ（Antilock Brake System）、ＡＶ機器などのシステム）に用いられる電子機器５０は凡そ２０個程度であり、それらの電子機器５０間を多重通信用ジョイントコネクタ１０を介して接続する。この電子機器５０の数を考慮すると、図１５（ａ）の多重通信用ジョイントコネクタ総数が３、分岐数が８である配線や、図１５（ｂ）の多重通信用ジョイントコネクタ総数が２、分岐数が１１である配線が考えられる。
【００１０】
図１５（ａ）に示す配線では、ある電子機器５０間を接続する配線のなかに３つの多重通信用ジョイントコネクタ１０を経由するものが存在する。経由する多重通信用ジョイントコネクタが数が多くなればなるほどその配線を伝搬する信号はより減衰してしまうため、経由する多重通信用ジョイントコネクタが数が多い場合にはそれらの多重通信用ジョイントコネクタが収容するフェライト・プレートには比較的低いインピーダンス特性が求められる。一方、図１５（ｂ）に示す配線のように、ある電子機器５０間を接続する配線が２つの多重通信用ジョイントコネクタ１０を経由するものに限られる場合には、それらの多重通信用ジョイントコネクタが収容するフェライト・プレートには比較的高いインピーダンス特性が求められる。このように、フェライト・プレートに求められるインピーダンス特性は、そのフェライト・プレートがローパスフィルタ作用の対象とする配線の多重通信用ジョイントコネクタ総数及び多重通信用ジョイントコネクタの分岐数に応じて、所望の数値に調整する必要がある。
【００１１】
しかし、上記のようにインピーダンス特性が所望の数値のものを多重通信用ジョイントコネクタに用いるためには、インピーダンス特性の数値が異なる様々なフェライト・プレートを製造し、それらのフェライト・プレートのなかから配線の条件を満たすものを多重通信用ジョイントコネクタに適用する必要がある（例えば、特許文献３）。このため、フェライト・プレートおよびそのフェライト・プレートを適用する多重通信用ジョイントコネクタを設計するために要する時間が増えるとともに、フェライト・プレート及び多重通信用ジョイントコネクタの品番数が増えるためにそれらの管理がより煩雑なものになる。この結果、多重通信用ジョイントコネクタの価格の高騰にも繋がる。
【００１２】
本発明は、上述した事情に鑑みてなされたものであり、その目的は、フェライト・プレートのインピーダンス特性を所望の数値に調整することができる多重通信用ジョイントコネクタを提供することにある。
【課題を解決するための手段】
【００１３】
前述した目的を達成するために、本発明に係る多重通信用ジョイントコネクタは、下記（１）〜（４）を特徴としている。
（１）  複数の相手方コネクタとそれぞれ嵌合するための複数のコネクタ嵌合部が形成されたアウターハウジングと、
前記コネクタ嵌合部内に突出するように前記アウターハウジングに配置され、且つ前記相手方コネクタが前記コネクタ嵌合部に嵌合した際に該相手方コネクタの相手方端子に接触して電気的に接続する端子と、
前記端子によって貫通されるように前記アウターハウジング内に配置されたフェライト・プレートと、
一面が開口し、該開口を通して前記フェライト・プレートが収容されるプレート収容室を有するインナーハウジングと、
を備え、
前記アウターハウジングには、前記フェライト・プレートが前記プレート収容室に収容された前記インナーハウジングを嵌合するためのインナーハウジング嵌合部が形成され、
前記インナーハウジングは、該インナーハウジングが前記インナーハウジング嵌合部に嵌合した際に前記コネクタ嵌合部内に突出するように、且つ前記プレート収容室を挿通するように、前記端子を保持するとともに、前記プレート収容室を画成する内側面が前記端子によって貫通された前記フェライト・プレートをその側面から押圧することによって前記フェライト・プレートのインピーダンス特性が所望の数値に調整されている、
こと。
（２）  上記（１）の構成の多重通信用ジョイントコネクタであって、
前記インナーハウジングは、前記プレート収容室を画成する内側面が前記端子によって貫通された前記フェライト・プレートの一部をその側面から押圧する、
こと。
（３）  上記（２）の構成の多重通信用ジョイントコネクタであって、
前記フェライト・プレートは、前記コネクタ嵌合部に対応して複数個に分割され、
前記インナーハウジングは、前記プレート収容室を画成する内側面が前記端子によって貫通された前記フェライト・プレートそれぞれをその側面から押圧することによって前記フェライト・プレートそれぞれのインピーダンス特性が所望の数値に調整されている、
こと。
（４）  上記（３）の構成の多重通信用ジョイントコネクタであって、
前記インナーハウジングには、前記プレート収容室を画成する内側面の、前記フェライト・プレートそれぞれの側面に臨む位置にバネ部材が複数個設けられ、
前記バネ部材はそれぞれ、前記端子によって貫通された前記フェライト・プレートをその側面から押圧する、
こと。
【００１４】
上記（１）〜（４）の構成の多重通信用ジョイントコネクタによれば、フェライト・プレートのインピーダンス特性を所望の数値に調整することができる。
【発明の効果】
【００１５】
本発明の構成の多重通信用ジョイントコネクタによれば、フェライト・プレートのインピーダンス特性を所望の数値に調整することができる。この結果、フェライト・プレートの品番数を削減することができる。
【００１６】
以上、本発明について簡潔に説明した。更に、以下に説明される発明を実施するための形態を添付の図面を参照して通読することにより、本発明の詳細は更に明確化されるであろう。
【図面の簡単な説明】
【００１７】
【図１】本発明の第１実施形態に係る多重通信用ジョイントコネクタの分解斜視図である。
【図２】本発明の第１実施形態に係る多重通信用ジョイントコネクタのアウタ−ハウジングの横断面図である。
【図３】本発明の第１実施形態に係る多重通信用ジョイントコネクタのインナーハウジングの斜視図である。
【図４】図３におけるインナーハウジングに対するフェライト・プレートの装着状況を一部で縦断して示す斜視図である。
【図５】図３におけるインナーハウジングに対するフェライト・プレートの装着状況を別の一部で縦断して示す斜視図である。
【図６】本発明の第１実施形態に係る多重通信用ジョイントコネクタのインナーハウジングとアウターハウジングとの嵌合構造を示す横断平面図である。
【図７】本発明の第２実施形態に係る多重通信用ジョイントコネクタの分解斜視図である。
【図８】本発明の第２実施形態に係る多重通信用ジョイントコネクタのインナーハウジングの斜視図である。
【図９】図８におけるインナーハウジングに対するフェライト・プレートの装着状況を一部で縦断して示す斜視図である。
【図１０】本発明の第３実施形態に係る多重通信用ジョイントコネクタの分解斜視図である。
【図１１】本発明の第３実施形態に係る多重通信用ジョイントコネクタのインナーハウジングに対するフェライト・プレートの装着状況を一部で縦断して示す斜視図である。
【図１２】従来の多重通信用ジョイントコネクタの分解斜視図である。
【図１３】図１２に示すインサート成形されたフェライト・プレートの変形状態を示す側面図である。
【図１４】フェライト・プレートが分割された多重通信用ジョイントコネクタの分解斜視図である。
【図１５】多重通信用ジョイントコネクタを経由して電子機器間を接続する配線の模式図である。図１５（ａ）は、多重通信用ジョイントコネクタ総数が３、分岐数が８である配線の模式図であり、図１５（ｂ）は、多重通信用ジョイントコネクタ総数が２、分岐数が１１である配線の模式図である。
【発明を実施するための形態】
【００１８】
以下、本発明に係る多重通信用ジョイントコネクタの各実施形態を図面に基づいて詳細に説明する。
【００１９】
（第１実施形態）
本発明の第１実施形態に係る多重通信用ジョイントコネクタを図１〜図６に基づいて説明する。図１は、本発明の第１実施形態に係る多重通信用ジョイントコネクタの分解斜視図である。図２は、本発明の第１実施形態に係る多重通信用ジョイントコネクタのアウタ−ハウジングの横断面図である。図３は、本発明の第１実施形態に係る多重通信用ジョイントコネクタのインナーハウジングの斜視図である。図４は、図３におけるインナーハウジングに対するフェライト・プレートの装着状況を一部で縦断して示す斜視図である。図５は、図３におけるインナーハウジングに対するフェライト・プレートの装着状況を別の一部で縦断して示す斜視図である。図６は、本発明の第１実施形態に係る多重通信用ジョイントコネクタのインナーハウジングとアウターハウジングとの嵌合構造を示す横断平面図である。
【００２０】
第１実施形態では、インナーハウジング４２内において、プレート収容室４２ｅの側壁４２ｂに形成された、バネ部材である樹脂バネ４１を用いてフェライト・プレートを押圧し、フェライト・プレートのインピーダンス特性を所望の数値に調整している（図５参照。）。なお、樹脂バネによるフェライト・プレートの支持構造の詳細は後述する。
【００２１】
図１に示すように、第１実施形態の多重通信用ジョイントコネクタ２００は、複数の相手方コネクタ（図示せず）とそれぞれ嵌合するための複数のコネクタ嵌合部２２（図１では８個）を有する合成樹脂製のアウターハウジング２１と、１対の貫通孔２４が８組設けられた略矩形板状のフェライト・プレート２３と、コネクタ嵌合部２２内に突出し、且つ相手方コネクタがコネクタ嵌合部２２に嵌合した際に該相手方コネクタの相手方端子に接触して電気的に接続する一対の接続部２５と、接続部２５を保持するとともにフェライト・プレート２３を収容するインナーハウジング４２と、を備える。
【００２２】
接続部２５は、ピン状に形成された複数の端子２７（図１では各列につき８本）と、この複数の端子２７の一端に連設されるバスバー２６（図１では２本）とを有している。図１では、８本の端子２７が連設されたバスバー２６が２本、並設されている。左右方向に隣り合う一対の端子２７は、インナーハウジング４２がアウターハウジング２１に嵌合した際に、コネクタ嵌合部２２に相手方コネクタが嵌合する側とは逆側から前記コネクタ嵌合部２２内に突出するように、一つのコネクタ嵌合部２２内に配置される。各コネクタ嵌合部２２内に配置される一対の端子２７には、多重通信を実現する伝送方式に則った信号が伝送される。例えば、周波数分割多重化を伝送方式として採用した場合には、一対の端子２７それぞれには異なる周波数帯が割り当てられる。周波数分割多重化を採用した場合、隣り合うコネクタ嵌合部２２に配置された一対の端子２７には、一対の端子２７の一方を信号が伝播した際に生じる電磁波（ノイズ）によって、一対の端子２７の他方に電圧が誘起される恐れがある。このノイズによる電圧の誘起を防止するために、フェライト・プレート２３によって、上記一対の端子２７の一方から上記一対の端子２７の他方への電磁波の伝播を遮断する。
【００２３】
多重通信用ジョイントコネクタがＣＡＮに利用される場合であって、一対の端子２７に差動信号が入力される伝送路では、一方の一対の端子２７に接続されるＨ側信号ラインと他方の一対の端子２７に接続されるＬ側信号ラインの間のインピーダンスのバランスを保つこと（Ｈ側信号ラインのインピーダンス特性≒Ｌ側信号ラインのインピーダンス特性）が必須である。このため、Ｈ側信号ラインとＬ側信号ラインの間に位置するフェライト・プレート２３が、Ｈ側信号ラインとＬ側信号ラインの間のインピーダンスのバランスを保つこともまた必須である。
【００２４】
図１に示すフェライト・プレート２３の形状によれば、８組の一対の端子２７の間にインピーダンス特性が均一のフェライト・プレート２３が位置する。この結果、多重通信用ジョイントコネクタを介して伝送される波形ひずみを改善することができる。
【００２５】
アウターハウジング２１は、図２に示すように、中壁２１ａの両側に該中壁２１ａとは垂直な側壁２１ｂ、２１ｄ、および側壁２１ｃ、２１ｅが位置してしおり、中壁２１ａ、および側壁２１ｂ、２１ｃ、２１ｄ、２１ｅは、中壁２１ａが水平方向に見立てたときにＨ字形状となる。図２のアウタ−ハウジングの横断面図において、中壁２１ａと側壁２１ｂ、２１ｃとに囲まれた空間がインナーハウジング嵌合部２１ｇとなっている。インナーハウジング嵌合部２１ｇは、開口２１ｆを有しており、この開口２１ｆを通してインナーハウジング４２を嵌合する。一方、中壁２１ａと側壁２１ｄ、２１ｅとに囲まれた空間がコネクタ嵌合部２２となっている。コネクタ嵌合部２２は、開口２１ｈを有しており、この開口２１ｈを通して相手方コネクタが挿入される。
【００２６】
さらに、中壁２１ａには、フェライト・プレート２３の各貫通孔２４に対向する位置に端子挿入孔３７が穿設されている。端子挿入孔３７は、インナーハウジング嵌合部２１ｇにインナーハウジング４２が嵌めこまれた際に、フェライト・プレート２３の貫通孔２４を貫通する端子２７によって貫通される。これにより、端子２７の一部は、インナーハウジング４２がアウターハウジング２１に嵌合した際に、インナーハウジング嵌合部２１ｇ側から端子挿入孔３７を貫通し、コネクタ嵌合部２２内に配置されることになる。
【００２７】
インナーハウジング４２は、図３に示すように、一面が開口し、この開口４２ｄを通してフェライト・プレート２３を収容するプレート収容室４２ｅが形成されている。プレート収容室４２ｅは、底壁４２ａ、側壁４２ｂ、４２ｃによって囲まれている。側壁のうちの一方の側壁４２ｂには、収容されたフェライト・プレート２３に臨むその内側面に、インナーハウジング４２の長手方向（つまり、フェライト・プレート２３がプレート収容室４２ｅに収容された際の、該フェライト・プレート２３の長手方向）に沿って延びる樹脂バネ４１が形成されている。樹脂バネ４１は、プレート収容室４２ｅに収容されたフェライト・プレート２３の側面を、該樹脂バネ４１が形成された側壁４２ｂとは反対側の側壁４２ｃの方向に向けて、押圧する。この樹脂バネ４１により、フェライト・プレート２３は、一つの側面が図５に示すように樹脂バネ４１に押圧され、もう一方の側面がプレート収容室４２ｅの前記樹脂バネ４１が設けられる側に対向する側壁４２ｃの内側面に押し当てられるようにして押圧される。なお、バネ部材としての樹脂バネ４１は、プレート収容室４２ｅの内側面のうちの一面を切り起こすなどして形成される。
【００２８】
次に、図４および図５を参照して、インナーハウジング４２に対するフェライト・プレート２３の装着工程を説明する。図４は、図３のインナーハウジング４２に装着された８組１６本の端子２７にフェライト・プレート２３の各貫通孔２４を挿し通す直前の状態である。なお、この状態の前に、接続部２５をプレート収容室４２ｅの底壁４２ａに装着しておく必要がある（より詳細には、プレート収容室４２ｅの底壁４２ａを穿つように該底壁４２ａに形成された端子保持部４３に、端子２７の一端が連設されたバスバー２６を挿入、固定させておく。）。この結果、各端子２７は、プレート収容室４２ｅの底壁４２ａから開口４２ｄに向けて真直ぐに延びるように突設されている。フェライト・プレート２３は、このような端子２７の尖端によって貫通孔２４が挿通され、開口４２ｄを通過し、厚み方向の一面（図上、フェライト・プレート２３の下面）が底壁４２ａに当接する状態で、プレート収容室４２ｅに収容される。
【００２９】
フェライト・プレート２３は、プレート収容室４２ｅに収容された状態において、その幅方向の片面が側壁４２ｂの内側に突出する各一の樹脂バネ４１に前述のように押圧され、一方、幅方向の他の片面は側壁４２ｃの内面に押し当てられるようにしてプレート収容室４２ｅに保持される。
【００３０】
フェライト・プレート２３が上述のようにしてプレート収容室４２ｅに保持されたインナーハウジング４２が、図２に示すアウターハウジング２１のインナーハウジング嵌合部２１ｇに嵌合される。インナーハウジング４２がアウターハウジング２１のインナーハウジング嵌合部２１ｇに嵌合した状態を図６に示す。インナーハウジング４２は、プレート収容室４２ｅの開口４２ｄから露出するフェライト・プレート２３の一面がアウターハウジング２１の中壁２１ａの内面Ｑに対向するように、インナーハウジング嵌合部２１ｇに収容される。
【００３１】
このように、第１実施形態では、インナーハウジング４２内においてバネ部材である樹脂バネ４１を用いてフェライト・プレートを押圧することによって、フェライト・プレートのインピーダンス特性を調整することができる。例えば、汎用性の高いフェライト・プレートのインピーダンス特性が所望の数値よりも高いものであった場合、樹脂バネ４１をより高く起立させて押圧力を強めることによって、その樹脂バネ４１によって押圧されるフェライト・プレートのインピーダンス特性を低下させるようにする。他方、汎用性の高いフェライト・プレートのインピーダンス特性が所望の数値に近いものであった場合、樹脂バネ４１を僅かに起立させて、フェライト・プレートがプレート収容室４２ｅから抜け落ちない程度の押圧力に弱めることによって、その樹脂バネ４１によって押圧されるフェライト・プレートのインピーダンス特性を低下させないようにする。この結果、求められるインピーダンス特性が異なる種々の多重通信用ジョイントコネクタに対しても、汎用性の高いフェライト・プレートを用いることができる。
【００３２】
尚、図１から図６を参照して説明した上述の多重通信用ジョイントコネクタ２００では、樹脂バネ４１がプレート収容室４２ｅの内側面のうちの一面を切り起こすなどして形成されるとした。フェライト・プレート２３を押圧する構造はこの樹脂バネに限られない。プレート収容室４２ｅの内側面に絶縁部材を盛り、フェライト・プレート２３がプレート収容室４２ｅに収容された際に、その盛られた絶縁部材がフェライト・プレート２３を押圧する構造であってもよい。また、プレート収容室４２ｅの一方の側壁４２ｂに樹脂バネ４１を形成する構造について説明したが、プレート収容室４２ｅの両方の側壁４２ｂ、４２ｃに樹脂バネを形成し、それらの樹脂バネによってフェライト・プレート２３を押圧する構造であってもよい。
【００３３】
また、図１から図６を参照して説明した上述の多重通信用ジョイントコネクタ２００では、樹脂バネ４１をプレート収容室４２ｅの側壁４２ｂに設け、樹脂バネ４１がフェライト・プレート２３の幅方向を押圧する構造とした。樹脂バネ４１を設ける箇所は、フェライト・プレート２３の幅方向に位置する側面に臨む、プレート収容室４２ｅの側壁４２ｂ、４２ｃに限られない。フェライト・プレート２３の長手方向に位置する側面に臨む、プレート収容室４２ｅの側壁に設け、樹脂バネ４１がフェライト・プレート２３の長手方向を押圧する構造としてもよい。
【００３４】
さらに、フェライト・プレート２３に向けて突出する尖端形状（例えば円錐形状や角錐形状）の突起をプレート収容室４２ｅの底壁４２ａに設け、インナーハウジング４２がアウターハウジング２１のインナーハウジング嵌合部２１ｇに嵌合した際に、突起がアウターハウジング２１の中壁２１ａの内面Ｑとともにフェライト・プレート２３を挟持して、そのフェライト・プレート２３の厚み方向を押圧する構造としてもよい。このとき、その突起は、インナーハウジング４２の長手方向（つまり、フェライト・プレート２３がプレート収容室４２ｅに収容された際の、該フェライト・プレート２３の長手方向）に沿って延びるように、底壁４２ａに形成される。
【００３５】
さらに、フェライト・プレート２３に向けて突出する尖端形状（例えば円錐形状や角錐形状）の突起をアウターハウジング２１の中壁２１ａの内面Ｑに設け、インナーハウジング４２がアウターハウジング２１のインナーハウジング嵌合部２１ｇに嵌合した際に、突起がプレート収容室４２ｅの底壁４２ａとともにフェライト・プレート２３を挟持して、そのフェライト・プレート２３の厚み方向を押圧する構造としてもよい。このとき、その突起は、アウターハウジング２１の長手方向（つまり、インナーハウジング４２がアウターハウジング２１のインナーハウジング嵌合部２１ｇに嵌合した際の、フェライト・プレート２３の長手方向）に沿って延びるように、中壁２１ａの内面Ｑに形成される。
【００３６】
このようにプレート収容室４２ｅの内側面あるいはアウターハウジング２１の中壁２１ａの内面Ｑに隆起するように突出部を形成し、フェライト・プレートを多方向から押圧する構造とすることによって、フェライト・プレートのインピーダンス特性をより大きく低下させることができるため、フェライト・プレートのインピーダンス特性を所望の数値に調整することが容易となる。
【００３７】
ところで、これまで説明した多重通信用ジョイントコネクタ２００は、プレート収容室４２ｅの内側面あるいはアウターハウジング２１の中壁２１ａの内面Ｑに隆起するように形成された突出部（樹脂バネ４１あるいは突起）がフェライト・プレート２３を押圧する構造とした。このような突出部を形成することなしに、フェライト・プレート２３を押圧することも可能である。
【００３８】
すなわち、多重通信用ジョイントコネクタを製造するにあたっては、ハウジングを作成する工程においてフェライト・プレートをインサート成形することがあるが、この工程において、型に流し込む樹脂の流量を調整して、フェライト・プレートのインピーダンス特性が所望の数値となるようにフェライト・プレートに樹脂からの圧力を作用させ、その状態で樹脂を固化することによって、フェライト・プレートを押圧した状態でハウジング内に留めおくことができる。このように多重通信用ジョイントコネクタを製造すれば、プレート収容室４２ｅの内側面あるいはアウターハウジング２１の中壁２１ａの内面Ｑに隆起する突出部が形成されることがない。このように、本発明は、フェライト・プレートを内部に収容するプレート収容室の内側面がフェライト・プレートをその側面から押圧する構造で有りさえすれば、フェライト・プレートのインピーダンス特性を所望の数値に調整することができる。
【００３９】
（第２実施形態）
次に、本発明の第２実施形態に係る多重通信用ジョイントコネクタを図７〜図９に基づいて説明する。図７は、本発明の第２実施形態に係る多重通信用ジョイントコネクタの分解斜視図である。図８は、本発明の第２実施形態に係る多重通信用ジョイントコネクタのインナーハウジングの斜視図である。図９は、図８におけるインナーハウジングに対するフェライト・プレートの装着状況を一部で縦断して示す斜視図である。第１実施形態で説明した符号と同一の部材は、第１実施形態で説明したとおりであるため、その説明を省略する。
【００４０】
本発明の第２実施形態に係る多重通信用ジョイントコネクタ２１０が、第１実施形態で説明したものと異なる点は、フェライト・プレート２３を収容した該フェライト・プレート２３に臨むプレート収容室４２ｅの内側面に、複数個の樹脂バネ４１ｂが形成されている点である。
【００４１】
インナーハウジング４２は、図８に示すように、一面が開口し、この開口４２ｄを通してフェライト・プレート２３を収容するプレート収容室４２ｅが形成されている。プレート収容室４２ｅは、底壁４２ａ、側壁４２ｂ、４２ｃによって囲まれている。側壁のうちの一方の側壁４２ｂには、収容されたフェライト・プレート２３に臨むその内側面に、複数個の樹脂バネ４１ｂが形成されている。樹脂バネ４１ｂは、プレート収容室４２ｅに収容されたフェライト・プレート２３の側面を、該樹脂バネ４１ｂが形成された側壁４２ｂとは反対側の側壁４２ｃの方向に向けて、押圧する。これらの樹脂バネ４１ｂは、同形、同サイズで、インナーハウジング４２の長手方向に８個が等間隔配置されている。フェライト・プレート２３は、一つの側面がこれらのそれぞれの樹脂バネ４１ｂにより押圧され、もう一方の側面がプレート収容室４２ｅの前記樹脂バネ４１ｂが設けられる側に対向する側壁４２ｃの内側面に押し当てられるようにして押圧される。なお、バネ部材としての樹脂バネ４１ｂは、プレート収容室４２ｅの内側面のうちの一面において、その一部を切り起こすなどして形成される。
【００４２】
本発明の第１実施形態に係る多重通信用ジョイントコネクタ２００は、フェライト・プレート２３の幅方向の側面をその長手方向に沿って押圧する構造であった。これにより、フェライト・プレート２３のインピーダンス特性を長手方向に均一に調整することができる。他方、ある一対の端子２７近辺のフェライト・プレート２３のインピーダンス特性を局所的に調整したいことがある。本発明の第２実施形態に係る多重通信用ジョイントコネクタ２１０は、フェライト・プレート２３のインピーダンス特性を局所的に調整する場合に有用である。
【００４３】
すなわち、それぞれの樹脂バネ４１ｂが押圧する付近ではフェライト・プレート２３のインピーダンス特性を低下させることができ、樹脂バネ４１ｂが押圧していない付近ではフェライト・プレート２３のインピーダンス特性の低下は小さい。ある一対の端子２７を経由する配線が多数の多重通信用ジョイントコネクタ２００を経由する場合、その一対の端子２７付近のフェライト・プレート２３のインピーダンス特性を局所的に低くすることが求められる。このような場合に、その一対の端子２７付近のフェライト・プレート２３を押圧するべく、プレート収容室４２ｅの内側面のうちのその一対の端子２７に隣り合う位置に樹脂バネ４１ｂを形成する。図７〜図９に示す本発明の第２実施形態に係る多重通信用ジョイントコネクタ２１０では、同形、同サイズの樹脂バネ４１ｂが、インナーハウジング４２の長手方向に８個が等間隔配置されているが、求められるインピーダンス特性に応じて樹脂バネ４１ｂの形状を変形させればよく、また、インピーダンス特性を調整したい箇所に応じて樹脂バネ４１ｂを設ける箇所を変えてやればよい。
【００４４】
尚、図７から図９を参照して説明した上述の多重通信用ジョイントコネクタ２１０では、樹脂バネ４１ｂがプレート収容室４２ｅの内側面のうちの一面を切り起こすなどして形成されるとした。フェライト・プレート２３を押圧する構造はこの樹脂バネに限られない。プレート収容室４２ｅの内側面に絶縁部材を盛り、フェライト・プレート２３がプレート収容室４２ｅに収容された際に、その盛られた絶縁部材がフェライト・プレート２３を押圧する構造であってもよい。また、プレート収容室４２ｅの一方の側壁４２ｂに樹脂バネ４１ｂを形成する構造について説明したが、プレート収容室４２ｅの両方の側壁４２ｂ、４２ｃに樹脂バネを形成し、それらの樹脂バネによってフェライト・プレート２３を押圧する構造であってもよい。
【００４５】
また、図７から図９を参照して説明した上述の多重通信用ジョイントコネクタ２１０では、樹脂バネ４１ｂをプレート収容室４２ｅの側壁４２ｂに設け、樹脂バネ４１ｂがフェライト・プレート２３の幅方向を押圧する構造とした。樹脂バネ４１ｂを設ける箇所は、フェライト・プレート２３の幅方向に位置する側面に臨む、プレート収容室４２ｅの側壁４２ｂ、４２ｃに限られない。フェライト・プレート２３の長手方向に位置する側面に臨む、プレート収容室４２ｅの側壁に設け、樹脂バネ４１ｂがフェライト・プレート２３の長手方向を押圧する構造としてもよい。
【００４６】
さらに、フェライト・プレート２３に向けて突出する尖端形状（例えば円錐形状や角錐形状）の突起をプレート収容室４２ｅの底壁４２ａに設け、インナーハウジング４２がアウターハウジング２１のインナーハウジング嵌合部２１ｇに嵌合した際に、突起がアウターハウジング２１の中壁２１ａの内面Ｑとともにフェライト・プレート２３を挟持して、そのフェライト・プレート２３の厚み方向を押圧する構造としてもよい。このとき、その突起は、フェライト・プレート２３のインピーダンス特性を局所的に調整したい箇所に応じてプレート収容室４２ｅの底壁４２ａに設けられる。
【００４７】
さらに、フェライト・プレート２３に向けて突出する尖端形状（例えば円錐形状や角錐形状）の突起をアウターハウジング２１の中壁２１ａの内面Ｑに設け、インナーハウジング４２がアウターハウジング２１のインナーハウジング嵌合部２１ｇに嵌合した際に、突起がプレート収容室４２ｅの底壁４２ａとともにフェライト・プレート２３を挟持して、そのフェライト・プレート２３の厚み方向を押圧する構造としてもよい。このとき、その突起は、フェライト・プレート２３のインピーダンス特性を局所的に調整したい箇所に応じて中壁２１ａの内面Ｑに形成される。
【００４８】
このようにプレート収容室４２ｅの内側面あるいはアウターハウジング２１の中壁２１ａの内面Ｑに隆起する突出部を適宜の位置に形成し、フェライト・プレート２３を多方向から押圧する構造とすることによって、フェライト・プレート２３のインピーダンス特性を局所的により大きく低下させることができるため、フェライト・プレート２３のインピーダンス特性を所望の数値に調整することが容易となる。
【００４９】
（第３実施形態）
次に、本発明の第３実施形態に係る多重通信用ジョイントコネクタを図１０〜図１１に基づいて説明する。図１０は、本発明の第３実施形態に係る多重通信用ジョイントコネクタの分解斜視図である。図１１は、本発明の第３実施形態に係る多重通信用ジョイントコネクタのインナーハウジングに対するフェライト・プレートの装着状況を一部で縦断して示す斜視図である。第１実施形態または第２実施形態で説明した符号と同一の部材は、第１実施形態または第２実施形態で説明したとおりであるため、その説明を省略する。
【００５０】
本発明の第３実施形態に係る多重通信用ジョイントコネクタ２２０が、第２実施形態で説明したものと異なる点は、フェライト・プレート２３ｂが複数個に分割されている点である。フェライト・プレート２３ｂは、一対の貫通孔２４が設けられて略矩形板状に分割されている。図１０及び図１１では８個に分割されている。この構造では、一対の端子２７のそれぞれに別々のフェライト・プレート２３ｂが装着される。この構造の場合、一種類のフェライト・プレート２３ｂが合計８個インナーハウジング４２に装着される。
【００５１】
本発明の第２実施形態に係る多重通信用ジョイントコネクタ２１０は、フェライト・プレート２３の幅方向の側面を局所的に押圧する構造であった。これにより、フェライト・プレート２３のインピーダンス特性を局所的に調整することができる。他方、本発明の第３実施形態に係る多重通信用ジョイントコネクタ２２０は、フェライト・プレート２３ｂそれぞれの幅方向の側面を、一つの樹脂バネ４１ｂが押圧する構造である。この構造により、ある一対の端子２７に装着されたフェライト・プレート２３ｂに、そのフェライト・プレート２３ｂの側面に位置する一つの樹脂バネ４１ｂのみが押圧する構造であるため、個々のフェライト・プレート２３ｂを独立して押圧することができる。この結果、一対の端子２７それぞれに求められるフェライト・プレート２３ｂのインピーダンス特性に応じて、そのフェライト・プレート２３ｂの側面に位置する樹脂バネ４１ｂの形状を変形させることで、そのフェライト・プレート２３ｂのインピーダンス特性を所望の数値に調整することができる。さらに言えば、あるフェライト・プレート２３ｂの側面に位置する樹脂バネ４１ｂの他に該フェライト・プレート２３ｂを押圧する樹脂バネ４１ｂがないため、フェライト・プレート２３ｂに作用する外力が計算し易く、その結果、樹脂バネ４１ｂの形状の設計が容易となる。
【００５２】
尚、図１０から図１１を参照して説明した上述の多重通信用ジョイントコネクタ２２０では、樹脂バネ４１ｂがプレート収容室４２ｅの内側面のうちの一面を切り起こすなどして形成されるとした。フェライト・プレート２３ｂそれぞれを押圧する構造はこの樹脂バネに限られない。プレート収容室４２ｅの内側面に絶縁部材を盛り、フェライト・プレート２３ｂがプレート収容室４２ｅに収容された際に、その盛られた絶縁部材がフェライト・プレート２３ｂそれぞれを押圧する構造であってもよい。また、プレート収容室４２ｅの一方の側壁４２ｂに樹脂バネ４１ｂを形成する構造について説明したが、プレート収容室４２ｅの両方の側壁４２ｂ、４２ｃに樹脂バネを形成し、それらの樹脂バネによってフェライト・プレート２３ｂを押圧する構造であってもよい。
【００５３】
また、図１０から図１１を参照して説明した上述の多重通信用ジョイントコネクタ２２０では、樹脂バネ４１ｂをプレート収容室４２ｅの側壁４２ｂに設け、樹脂バネ４１ｂがフェライト・プレート２３ｂの幅方向を押圧する構造とした。樹脂バネ４１ｂを設ける箇所は、フェライト・プレート２３ｂの幅方向に位置する側面に臨む、プレート収容室４２ｅの側壁４２ｂ、４２ｃに限られない。隣り合うフェライト・プレート２３ｂ間にこれらフェライト・プレート２３ｂを仕切る仕切り壁を新たに設け、この仕切り壁と、フェライト・プレート２３ｂの長手方向に位置する側面に臨む、プレート収容室４２ｅの側壁に樹脂バネ４１ｂを設け、これらの樹脂バネ４１ｂがフェライト・プレート２３ｂの長手方向を押圧する構造としてもよい。
【００５４】
さらに、フェライト・プレート２３ｂそれぞれに向けて突出する尖端形状（例えば円錐形状や角錐形状）の突起をプレート収容室４２ｅの底壁４２ａに設け、インナーハウジング４２がアウターハウジング２１のインナーハウジング嵌合部２１ｇに嵌合した際に、突起がアウターハウジング２１の中壁２１ａの内面Ｑとともにフェライト・プレート２３ｂそれぞれを挟持して、そのフェライト・プレート２３ｂの厚み方向を押圧する構造としてもよい。このとき、その突起は、インピーダンス特性を調整したいフェライト・プレート２３ｂに向って突出するようにプレート収容室４２ｅの底壁４２ａに設けられる。
【００５５】
さらに、フェライト・プレート２３ｂそれぞれに向けて突出する尖端形状（例えば円錐形状や角錐形状）の突起をアウターハウジング２１の中壁２１ａの内面Ｑに設け、インナーハウジング４２がアウターハウジング２１のインナーハウジング嵌合部２１ｇに嵌合した際に、突起がプレート収容室４２ｅの底壁４２ａとともにフェライト・プレート２３それぞれを挟持して、そのフェライト・プレート２３の厚み方向を押圧する構造としてもよい。このとき、その突起は、インピーダンス特性を調整したいフェライト・プレート２３に向って突出するように中壁２１ａの内面Ｑに形成される。
【００５６】
このようにプレート収容室４２ｅの内側面あるいはアウターハウジング２１の中壁２１ａの内面Ｑに隆起する突出部を適宜の位置に形成し、フェライト・プレート２３ｂを多方向から押圧する構造とすることによって、フェライト・プレート２３ｂのインピーダンス特性をより大きく低下させることができるため、フェライト・プレート２３ｂのインピーダンス特性を所望の数値に調整することが容易となる。
【００５７】
以上、第１実施形態から第３実施形態で説明したように、本発明に係る多重通信用ジョイントコネクタによれば、フェライト・プレートを収容するプレート収容室の内側面の形状を適宜調整してその内側面が該フェライト・プレートを押圧する押圧力を代えることによって、フェライト・プレートに求められるインピーダンス特性を所望の数値に調整することができるため、フェライト・プレートの品番数を増やすことなく、該フェライト・プレートのインピーダンス特性を所望の数値に調整することができる。
【符号の説明】
【００５８】
２１  アウターハウジング
２１ａ  中壁
２１ｂ、２１ｃ、２１ｄ、２１ｅ  側壁
２１ｆ  開口
２１ｇ  インナーハウジング嵌合部
２１ｈ  開口
２２  コネクタ嵌合部
２３、２３ｂ  フェライト・プレート
２４  貫通孔
２５  接続部
２６  バスバー
２７  端子
４１、４１ｂ  樹脂バネ
４２  インナーハウジング
４２ａ  底壁
４２ｂ、４２ｃ  側壁
４２ｄ  開口
４２ｅ  プレート収容室
Ｑ  中壁の内面
２００、２１０、２２０  多重通信用ジョイントコネクタ
【図１】
0005489352.tif 000002
【図２】
0005489352.tif 000003
【図３】
0005489352.tif 000004
【図４】
0005489352.tif 000005
【図５】
0005489352.tif 000006
【図６】
0005489352.tif 000007
【図７】
0005489352.tif 000008
【図８】
0005489352.tif 000009
【図９】
0005489352.tif 000010
【図１０】
0005489352.tif 000011
【図１１】
0005489352.tif 000012
【図１２】
0005489352.tif 000013
【図１３】
0005489352.tif 000014
【図１４】
0005489352.tif 000015
【図１５】
0005489352.tif 000016